(57)【要約】【課題】腕金に固設したピン碍子や引留碍子などの架設部材が損傷した場合に、その腕金を交換することなく、健全な架設部材を別途固設できるようにすることにより、早急に送電を再開可能にして、短時間に送電の復旧作業を完了することのできる電線架設部材の取付具を提供すること。【解決手段】電線Ｄを架設するピン碍子１２０を電柱１００の腕金１１０に取り付ける際に用いる取付具１０であって、腕金の外面を締め付けるようにして取り付ける本体部材１１および補助部材１２と、この本体部材１１および補助部材１２の間隔を調整する調整板１３と、本体部材１１に固設されてピン碍子１２０のボルト部１２２を差し込んで連結することのできる連結管１４と、を備えている。【選択図】図６
2008236963.tif 000002
【特許請求の範囲】
【請求項１】
電線を架設する架設部材を電柱の腕金に取り付ける際に用いる取付具であって、
腕金に準備されている被連結部に連結可能に設計されている架設部材の連結部を連結可能な被連結部と、該被連結部を固設されて腕金の外面を締め付けることにより固定して当該被連結部を該腕金に取り付ける取付部と、を備えることを特徴とする電線架設部材の取付具。
【請求項２】
前記腕金の外面を締め付けることにより固定可能な固定部を備えて、
既設の架設部材を避けつつ該固定部および取付部を連設する連設部を有することを特徴とする請求項１に記載の電線架設部材の取付具。
【請求項３】
前記固定部および取付部の間の間隔を調整する手段を備えることを特徴とする請求項２に記載の電線架設部材の取付具。
【発明の詳細な説明】
【技術分野】
【０００１】
本発明は、電線架設部材の取付具に関し、詳しくは、電線を支持させる架設部材が損傷した場合に、早急にその電線を架設し直すことを可能にするものに関する。
【背景技術】
【０００２】
従来、電線を架設する電柱などには、電線を支持させる碍子（架設部材）を水平方向に複数設置することのできる腕金を取り付けることが行われており（例えば、特許文献１、２参照）、例えば、図８に示すように、電柱１００（図１０を参照）の上部に取り付けた腕金１１０の貫通穴（被連結部）にピン碍子１２０のボルト部１２２を差し込んでネジ止めすることにより、そのピン碍子１２０の頭部１２１に電線Ｄをバインド線１２３により固定することが行われている。また、その腕金１１０には、図９に示すように、その貫通穴に貫通ボルト１３７（図７を参照）を差し込んで引留碍子１３０の先端に連設した引留金具１３６をネジ止めすることにより、その引留碍子１３０の後端部にジャンパー線ｄを導通接続した電線Ｄを引き留める形態で固定することも行われている。
【特許文献１】特開２００１−７８３３９号公報
【特許文献２】特開２００３−２２４９２３号公報
【発明の開示】
【発明が解決しようとする課題】
【０００３】
しかしながら、このような従来の腕金１１０のピン碍子１２０や引留碍子１３０にあっては、腕金１１０にネジ止めして固設していることから、例えば、図１０に示すように、強風による倒木が衝突して変形するなど損傷するとともに、配電線Ｄが外れるなどした場合には、送電を停止するのに併せて、腕金１１０を交換するなどして復旧させる作業を行う必要がある。しかるに、腕金１１０を交換する作業を行ってから送電を復帰させる復旧作業を行っていたのでは、長時間に亘って停電が継続してしまう、という問題があった。
【０００４】
そこで、本発明は、腕金に固設したピン碍子や引留碍子などの架設部材が損傷した場合に、その腕金を交換することなく、健全な架設部材を別途固設できるようにすることにより、早急に送電を再開可能にして、短時間に送電の復旧作業を完了することのできる電線架設部材の取付具を提供することを目的とする。
【課題を解決するための手段】
【０００５】
上記課題を解決する電線架設部材の取付具の第１の発明は、電線を架設する架設部材を電柱の腕金に取り付ける際に用いる取付具であって、腕金に準備されている被連結部に連結可能に設計されている架設部材の連結部を連結可能な被連結部と、該被連結部を固設されて腕金の外面を締め付けることにより固定して当該被連結部を該腕金に取り付ける取付部と、を備えることを特徴とするものである。
【０００６】
この発明では、腕金を締め付けるようにして取付部を取り付けることにより、電線を架設する架設部材の連結部をその取付部に固設されている被連結部に連結させることができる。したがって、腕金の被連結部に連結した架設部材が、例えば、倒木などにより損傷して再利用不可能な場合でも、停電させて腕金を交換するなどの作業を行うことなく、その腕金に新品などの健全な架設部材を連結して取り付けることができ、その架設部材に電線を架設支持させて迅速に送電を復旧させることができる。
【０００７】
上記課題を解決する電線架設部材の取付具の第２の発明は、上記第１の発明の特定事項に加え、前記腕金の外面を締め付けることにより固定可能な固定部を備えて、既設の架設部材を避けつつ該固定部および取付部を連設する連設部を有することを特徴とするものである。
【０００８】
この発明では、被連結部を固設されている取付部とは別に、腕金を締め付けるようにして固定部を固定することができ、その固定部と取付部とを連設することができる。したがって、既設の架設部材が固定部と取付部との間に位置するように取付固定することにより、腕金の延在方向にずれようとしてもその既設の架設部材に衝止させて外れてしまうことを防止することができる。また、既設の架設部材を固定部と取付部との間に位置させることができないような箇所の場合でも、その既設の架設部材間や電柱との間に固定部と取付部とが位置するように取付固定することにより、腕金の延在方向にずれようとしてもその既設の架設部材や電柱に衝止させて外れてしまうことを防止することができる。この結果、架設支持する電線が振れるような場合でも新規の架設部材を信頼性高く腕金に架設支持することができる。
【０００９】
上記課題を解決する電線架設部材の取付具の第３の発明は、上記第２の発明の特定事項に加え、前記固定部および取付部の間の間隔を調整する手段を備えることを特徴とするものである。
【００１０】
この発明では、腕金を締め付けるようにして固定取付する固定部と取付部の間の間隔を調整することができる。したがって、固定部と取付部のそれぞれがその間に位置させる既設の架設部材に接近するように、あるいは、既設の架設部材間や電柱に接近するように調整することができ、腕金の延在方向へのずれを小さくして、架設支持する電線が振れるような場合でも新規に連結した架設部材を信頼性高く腕金に位置決めすることができる。
【発明の効果】
【００１１】
このように本発明によれば、腕金に空いている貫通穴などを必要とすることなく、架設部材の連結部をその腕金に取り付けた取付部の被連結部に連結させることができ、例えば、倒木などにより既存の腕金の被連結部が再利用不能に損傷している場合でも、その腕金を交換することなく、健全な被連結部をその腕金に早期に取り付けて架設部材を連結することができる。したがって、損傷した架設部材の連結されている腕金を交換することなく、追加した健全な架設部材に電線を架設支持させることができ、早急に送電を再開して復旧作業を短時間に完了することができる。
【発明を実施するための最良の形態】
【００１２】
以下、本発明の最良の実施形態を図面に基づいて説明する。図１〜図７は本発明に係る電線架設部材の取付具の一実施形態を示す図である。
【００１３】
図１において、電線架設部材の取付具１０は、上述の従来技術で図８〜図１０を用いて説明したピン碍子１２０や引留碍子１３０の架設部材を電柱１００上部の腕金１１０に連結可能にするものであり、腕金１１０に取り付ける本体部材（取付部）１１と、この本体部１１から離隔する箇所の腕金１１０に固定する補助部材（固定部）１２と、備えており、本体部材１１には、補助部材１２を連設可能にするとともにその離隔間隔を調整する調整板（連設部）１３と、ピン碍子１２０や引留碍子１３０を連結する連結管（被連結部）１４と、が固設されている。
【００１４】
本体部材１１および補助部材１２は、図２に示すように、それぞれ縦断面形状がコの字形状になるように作製されており、天板部１１ａ、１２ａが腕金１１０の上面幅程度の内面幅に形成されているとともに、側壁部１１ｂ、１２ｂが腕金１１０の側面の高さよりも長く形成されることにより、その側壁部１１ｂ、１２ｂを下方に突出させる状態で腕金１１０に被せることができるように作製されている。
【００１５】
この本体部材１１および補助部材１２は、腕金１１０に被せたときに側面よりも下方に突出する側壁部１１ｂ、１２ｂの近傍箇所に、汎用の締付ボルト１５を差し込み可能にネジ穴１１ｃ、１２ｃが開口している。
【００１６】
また、調整板１３は、ネジ穴１１ｃと略同等の高さで外方に突出するように本体部材１１の一端辺に水平に固設されており、この調整板１３には、そのネジ穴１１ｃと同等のネジ穴１３ｃがその延長方向の複数箇所に連続するように開口している。
【００１７】
これにより、本体部材１１および補助部材１２は、それぞれ腕金１１０に被せてその側面よりも下方に突出する側壁部１１ｂ、１２ｂのネジ穴１１ｃ、１２ｃに締付ボルト１５を差し込んで不図示のナットを螺合させてネジ止めすることにより、貫通穴（被連結部）などを必要とすることなく、その腕金１１０を締め付けるようにして取付固定することができ、本体部材１１の調整板１３のいずれかのネジ穴１３ｃと補助部材１２のネジ穴１２ｃを一致させて締付ボルト１５を差し込んでネジ止めすることにより、本体部材１１と補助部材１２とを任意の離隔間隔で連設固定することができる。
【００１８】
連結管１４は、図３に示すピン碍子１２０下部から突出するボルト部１２２や、図４に示す引留碍子１３０の先端に接続した引留金具１３６を腕金１１０にネジ止めする貫通ボルト１３７（図７を参照）などの連結部を、差し込み可能な連結穴１４ａを有する管状に作製されており、この連結管１４は、本体部材１１の側壁部１１ｂにその延在方向（上下方向）と平行になるように固設されている。
【００１９】
これにより、連結管１４は、本体部材１１が腕金１１０に取付固定されたときには、上下方向に延在する姿勢でその腕金１１０に取り付けられており、腕金１１０の貫通穴と同等の連結穴１４ａをその腕金１１０の両側面側に準備することができ、その連結穴１４ａには、ピン碍子１２０のボルト部１２２や引留碍子１３０の貫通ボルト１３７を差し込んで連結することができる。ここで、引留碍子１３０は、図４に示すように、頭部１３１の開口１３１ａにピン部材１３３を差し込んで腕金１１０にネジ止めする引留金具１３６を連結するとともに、後端部の突出ピン１３２の開口１３２ａに、他の引留碍子１３０の頭部１３１を連設固定したり、ジャンパー線ｄを導通接続した電線Ｄを連設固定するようになっている。
【００２０】
したがって、取付具１０では、図５に示すように、例えば、倒木などにより損傷したピン碍子１２０´が外すことができずに腕金１１０に残っている（連結されている）状態のままでも、調整板１３のネジ穴１３ｃを選択して間隔を調整することにより、そのピン碍子１２０´の両側に位置するように本体部材１１と補助部材１２を取付固定することができ、その本体部材１１の連結管１４に破損していない健全なピン碍子１２０のボルト部１２２を差し込んでネジ止めし連結固定して取り付けることができる。この取付具１０では、破損したピン碍子１２０´のボルト部１２２に本体部材１１と補助部材１２が接近した状態で取り付けることができるので、腕金１１０の延在方向にずれようとしてもそのボルト部１２２に衝止させて制限することができ、腕金１１０から外れてしまうことを防止することができる。
【００２１】
また、この取付具１０では、破損したピン碍子１２０´を本体部材１１と補助部材１２の間に位置させることができない場合には、調整板１３のネジ穴１３ｃを選択して間隔を調整することにより、例えば、電柱１００とそのピン碍子１２０´などの部材間に位置するように本体部材１１と補助部材１２を取付固定することができ、その本体部材１１の連結管１４に破損していない健全なピン碍子１２０のボルト部１２２を差し込んでネジ止めし連結固定して取り付けることができる。この取付具１０では、破損したピン碍子１２０´のボルト部１２２や電柱１００に本体部材１１と補助部材１２が接近して、所謂、突っ張った状態に取り付けることができるので、腕金１１０の延在方向にずれようとしてもそのボルト部１２２や電柱１００に衝止させて制限することができ、腕金１１０から外れてしまうことを防止することができる。
【００２２】
この結果、図６に示すように、腕金１１０のピン碍子１２０が損傷した場合でも、取付具１０をその腕金１１０に取付固定してピン碍子１２０を新規に連結することができ、そのピン碍子１２０に配電線Ｄを振れないように固定して架設することができる。
【００２３】
さらに、取付具１０では、図７に示すように、引留碍子１３０の場合でも同様に、例えば、倒木などにより損傷した引留金具１３６´が外すことができずに腕金１１０に残っている（連結されている）状態のままでも、調整板１３のネジ穴１３ｃを選択して間隔を調整することにより、腕金１１０の延在方向にずれたり、その腕金１１０から外れてしまわないように本体部材１１と補助部材１２を取付固定することができ、その本体部材１１の連結管１４に貫通ボルト１３７を差し込んで破損していない健全な引留金具１３６をネジ止めして引留碍子１３０を取り付けることができる。
【００２４】
この結果、腕金１１０の引留碍子１３０や引留金具１３６が損傷した場合でも、取付具１０をその腕金１１０に取付固定して引留碍子１３０と引留金具１３６を新規に連結することができ、その引留碍子１３０に配電線Ｄを振れないように固定して架設することができる。
【００２５】
このように本実施形態においては、損傷して再利用不能なピン碍子１２０´などが腕金１１０に外すことができずに残っているとともに、その腕金１１０にピン碍子１２０などを新規に連結する貫通穴が空いていないような場合でも、貫通穴を新たに穿孔する作業を行うことなく、また、新規な貫通穴の穿孔により強度を劣化させてしまうことなく、取付具１０をその腕金１１０に取り付けるだけで、別途ピン碍子１２０などを連結固定することができる。したがって、腕金１１０を交換することなく、ピン碍子１２０などをその腕金１１０に早急に取り付けて配電線Ｄを架設支持させることができ、早期に送電を再開して迅速に復旧作業を完了することができる。
【産業上の利用可能性】
【００２６】
これまで本発明の一実施形態について説明したが、本発明は上述の実施形態に限定されず、その技術的思想の範囲内において種々異なる形態にて実施されてよいことは言うまでもない。
【図面の簡単な説明】
【００２７】
【図１】本発明に係る電線架設部材の取付具の一実施形態を示す図であり、その全体構成を示す組み立てた状態の斜視図である。
【図２】その各部品を示す図であり、（ａ）はその本体部材を示す斜視図、（ｂ）はその補助部材を示す斜視図である。
【図３】その取付具に連結するピン碍子を示す正面図である。
【図４】その取付具に連結する引留碍子を示す図であり、（ａ）はその全体構成を示す平面図、（ｂ）は（ａ）の状態で側方から見たときの要部を示す平面図である。
【図５】その取付具の腕金への取付状態を示す斜視図である。
【図６】その取付具に連結したピン碍子に電線を架設した状態を示す斜視図である。
【図７】その取付具に連結した引留碍子に電線を架設した状態を示す斜視図である。
【図８】腕金にピン碍子を連結して電線を架設した状態を示す斜視図である。
【図９】腕金に引留碍子を連結して電線を架設した状態を示す斜視図である。
【図１０】腕金に連結したピン碍子の損傷状態を説明する斜視図である。
【符号の説明】
【００２８】
１０……取付具    １１……本体部材    １１ｃ、１２ｃ、１３ｃ……ネジ穴    １２……補助部材    １３……調整板    １４……連結管    １４ａ……連結穴    １５……締付ボルト    １００……電柱    １１０……腕金    １２０……ピン碍子    １２２……ボルト部    １２３……バインド線    １３０……引留碍子    １３２……突出ピン    １３３……ピン部材    １３６……引留金具    １３７……貫通ボルト    Ｄ……電線    ｄ……ジャンパー線
【図１】
2008236963.tif 000003
【図２】
2008236963.tif 000004
【図３】
2008236963.tif 000005
【図４】
2008236963.tif 000006
【図５】
2008236963.tif 000007
【図６】
2008236963.tif 000008
【図７】
2008236963.tif 000009
【図８】
2008236963.tif 000010
【図９】
2008236963.tif 000011
【図１０】
2008236963.tif 000012